(57)【特許請求の範囲】
【請求項１】
付着性蔓植物を案内する面状案内体であって、
この面状案内体の表面が、当該付着性蔓植物の茎から生ずる根や髭等の付着手段の付着可能な帯状粗面を当該表面の下側から上側に向かうように備えており、この帯状粗面以外の表面を当該付着性蔓植物の付着不可能な平滑面としてあり、
しかも、前記帯状粗面が、前記面状案内体の表面に設けられている溝内に備えられていることを特徴とする付着性蔓植物の面状案内体。
【発明の詳細な説明】
【技術分野】
【０００１】
この発明は、付着性蔓植物を用いて塀、外壁、擁壁等の構造物の側面を覆うようにして壁面等の構造物の面を確実に、かつ、目的とする態様に、比較的短期間で緑化することのできる付着性蔓植物の面状案内体の提供に関する。
【背景技術】
【０００２】
建物の外壁面、ブロック塀その他の塀や門柱、境界壁、擁壁等の各種構造体の外側面を覆うように蔓植物を植栽することが試みられている。
【０００３】
このように構造物の外側面を蔓植物で覆うことによって、たんに構造物の外観の景観を整えるばかりでなく、構造物の外側面の直射光による蓄熱を避けることができ、また、当該構造物を含む空間全体の環境を整えうる利点を有している。しかしながら、蔓植物は、この蔓植物で、構造物の外側面を予定される態様に都合良く覆うには、多くのガイド手段や人手が必要とされ、その育成管理が難しかった。
【０００４】
また、かかる蔓植物、特に、付着性蔓植物は、その蔓植物の備える特性に従って生長する傾向が強く、構造物の外側面のなす形態や向きに対応して、その生長に方向性を有することがあり、構造物表面を覆う付着性植物に斑を生ずることがあり、構造物の外側面を都合良く覆うのに多くの年月を要する傾向にあった。
【０００５】
かかる点から、建物の壁面に多孔質セラミックスを取り付けたタイルパネルを備えさせて、この多孔質セラミックスを取り付けたタイルパネルを伝わって蔓性植物が建物を覆うようにした緑化用壁構造体が開示されている（例えば、特許文献１）。
【０００６】
【特許文献１】特開２００２−１５３１１７公開特許公報
【発明の開示】
【発明が解決しようとする課題】
【０００７】
しかしながら、このように建物の壁面を多孔質セラミックスを取り付けたタイルパネルで面状に覆う構成にあっては、植栽された蔓性植物は、当該蔓性植物の特性に従って、当該面状のパネル面における付着生長し易い部分を選んで生長することとなり、壁を構成するパネル面を、偏った状態や斑の状態に覆う傾向が強く、予期している状態に都合良く被覆させるには難があった。
【０００８】
また、このような多孔質セラミックスを取り付けたタイルパネルで構成される壁面に蔓性植物を任意に這わせるようにした場合、蔓性植物は当該蔓性植物の特性に従ってパネル面の最も付着生長し易い部分を選んで延びることとなり、当該壁面全体の緑化に多くの年月を要する不具合があった。
【０００９】
この発明は、構造物等の外面を付着性蔓植物によって、短期間に、しかも、目的とする状態に覆うことのできる付着性蔓植物の面状案内体を提案しようとするものである。
【課題を解決するための手段】
【００１０】
この発明は、前記課題を解決するために、付着性蔓植物を案内する面状案内体であって、
この面状案内体の表面が、当該付着性蔓植物の茎から生ずる根や髭等の付着手段の付着可能な帯状粗面を当該表面の下側から上側に向かうように備えており、この帯状粗面以外の表面を当該付着性蔓植物の付着不可能な平滑面としてあり、
しかも、前記帯状粗面が、前記面状案内体の表面に設けられている溝内に備えられていることを特徴とする付着性蔓植物の面状案内体としてある。
【００１１】
このように構成される面状案内体にあっては、付着性蔓植物は、当該蔓性植物における付着手段である根や髭等の付着生成し易い前記帯状粗面に沿って生長し、当該蔓性植物における生長の向きの制御が可能とされる。
【００１２】
この結果、各種構造物における外面を当該面状案内体で構成することによって、これら構造物の外面を、目的とする形態に効率良く蔓性植物で被覆でき、予定通りの緑化をなすことができる。
【００１３】
また、このように、面状案内体における下側から上側に向けて蔓性植物の生長する向きに当該蔓性植物の付着に都合の良い帯状粗面を設けることで、構造物の外面に案内される蔓性植物は当該帯状粗面に効率良く根や髭等を付着生成することができ、当該帯状粗面に沿って、効率よく生長し、短期間で、壁面等の面状案内面を被覆、緑化することができる。
【００１４】
また、前記面状案内体が、前記帯状粗面を、前記面状案内体の表面に設けられている溝内に備えた構成の付着性蔓植物の面状案内体としてあり、壁面等の構造物の外面に備えられている当該面状案内体に案内される蔓性植物が、この溝内に案内されながら付着、生長されることから、その付着状態を、より確実に維持され、風等による当該蔓性植物の壁面等の面状案内体からの剥離、脱落を効果的に防ぐことができる。
【発明の効果】
【００１５】
この発明に係る付着性蔓植物の面状案内体は、付着性蔓植物によって、建物や塀あるいは擁壁等の各種構造物の面を、確実に目的とする態様に覆い得ると共に、短期間に効率よく緑化することができる。
【発明を実施するための最良の形態】
【００１６】
以下、図１〜図１０にもとづいて、この発明を実施するための最良の形態に係る付着性蔓植物Ｅの面状案内体Ａについて説明する。
【００１７】
なお、ここで図１は当該発明を実施するための最良の形態に係る付着性蔓植物Ｅの面状案内体Ａを斜め上方から見て、図２では、これを横向きに断面して上方から見て示している。
図３〜図６は、各種形態に係る面状案内体Ａを、その要部を断面して、上方から見て示している。
図７〜図９は面状案内体Ａを備える構造物Ｂの上部側の要部を破断した状態で斜め上方から見て示している。
図１０は、面状案内体Ａを備える構造物Ｂを斜め上方から見て示している。
【００１８】
この発明を実施するための最良の形態に係る付着性蔓植物Ｅの面状案内体Ａは、付着性蔓植物Ｅを案内する面状案内体Ａであって、この面状案内体Ａの表面１０が、当該付着性蔓植物Ｅの茎から生ずる根や髭等の付着手段Ｅａの付着可能な帯状粗面１０ｂを当該表面１０の下側から上側に向かうように備えており、この帯状粗面１０ｂ以外の表面１０を当該付着性蔓植物Ｅの付着不可能な平滑面１０ａとして構成してある。
【００１９】
かかる面状案内体Ａでは、付着性蔓植物Ｅは、当該付着性蔓植物Ｅにおける付着手段Ｅａである付着根や付着髭等の付着生成し易い前記帯状粗面１０ｂに沿って生長することとなり、当該付着性蔓性植物における生長の向きの制御が可能であり、各種構造物Ｂにおける外面を、当該面状案内体Ａで覆って構成することにより、効率良く当該付着性蔓植物Ｅで被覆することができ、企画した通りの緑化面Ｃを得ることができる特長を有している。
【００２０】
また、このように、面状案内体Ａにおける下側から上側に向けて付着性蔓植物Ｅの生長する向きに当該付着性蔓植物Ｅの付着に都合の良い帯状粗面１０ｂを設けることで、当該面状案内体Ａで覆われた構造物Ｂの外面に案内される付着性蔓植物Ｅは当該帯状粗面１０ｂに効率良く根や髭等の付着手段Ｅａを付着生成することができ、当該帯状粗面１０ｂに沿って、効率よく生長し、短期間で、面状案内体Ａを被覆して構成される構造物Ｂ面に緑化面Ｃを構成することができる。
【００２１】
かかる面状案内体Ａは、その表面１０に付着性蔓植物Ｅの付着根や付着髭等の付着手段Ｅａの付着可能な帯状粗面１０ｂを備え、かつ、この帯状粗面１０ｂ以外の当該表面１０を当該付着性蔓植物Ｅの付着不可能な平滑面１０ａとしてものであれば、いかなる素材によって構成してあっても、また、いかなる形態に構成してあってもよい。
【００２２】
かかる面状案内体Ａは、典型的には、当該面状案内体Ａを単体又は複数枚の連設によって、建物に備えられて当該建物の外壁面を構成し、塀や門柱等に備えられて当該塀や門柱等の表面を構成したり、擁壁等の構造物Ｂの外側に備えられて当該構造物Ｂの表面を構成するように用いられるが、この面状案内体Ａを用いて隔壁体を構成するなど、当該面状案内体Ａを単体で独立に用いるようにしてあってもよい。
【００２３】
また、かかる面状案内体Ａは、当該面状案内体Ａの表面１０に付着性蔓植物Ｅの付着可能な帯状粗面１０ｂを備え、かつ、この帯状粗面１０ｂ以外の当該面状案内体Ａの表面１０が付着性蔓植物Ｅの付着不可能な平滑面１０ａとしてあれば、単一素材によって構成してあっても、複合素材によって構成してあってもよい。
【００２４】
かかる面状案内体Ａにおいて、付着性蔓植物Ｅの付着可能な粗面は、この付着性蔓植物Ｅにおける付着根や付着髭等の付着手段Ｅａに適合して、当該付着性蔓植物Ｅの付着根、付着髭等の付着手段Ｅａが都合良く付着する粗面を備えるものとしてある。
【００２５】
かかる付着性蔓植物Ｅの付着可能な粗面は、例えば、植栽される付着性蔓植物Ｅにおける各節から発生する付着根における主根、当該主根から伸びる細根、当該細根から発生する根毛等が絡みつき、かつ、当該根毛からの滲出液と共に当該付着性蔓植物Ｅを効果的に付着する凹凸を備える粗面として構成される。
【００２６】
また、かかる付着性蔓植物Ｅの付着可能な粗面は、例えば、植栽される付着性蔓植物Ｅにおける付着面に接した巻髭のクワの実状の先端から伸びる多数の指状部の指先を絡ませ、かつ、当該先端からの滲出液と共に当該付着性蔓植物Ｅを効果的に付着する凹凸を備える粗面として構成される。
【００２７】
かかる帯状粗面１０ｂは、付着性蔓植物Ｅの付着根や巻髭の付着細胞の入り込み易い凹凸又は空隙を備えるものとして、典型的には、当該付着性蔓植物Ｅの根毛及び付着根の細胞の投錨できる０．２ｍｍ〜１μｍの凹凸を備える面であることが好ましい。
【００２８】
かかる付着性蔓植物Ｅの付着可能な粗面としては、例えば、コンクリート面、モルタル面、けい酸カルシウム面、陶器面等の種々の粗面がある。
【００２９】
また、かかる付着性蔓植物Ｅの付着不可能な面としては、例えば、平滑なガラス面、平滑なプラスチックス面、平滑な金属面、陶器の釉面等がある。
【００３０】
かかる面状案内体Ａは、例えば、付着性蔓植物Ｅの付着可能な粗面を備えるサイディングなどのパネル材の表面１０に、帯状にマスキングを施して、吹き付け等適宜の手法で平滑な塗膜を形成し、付着性蔓植物Ｅの付着されない平滑面１０ａと当該付着性蔓植物Ｅの付着される帯状粗面１０ｂとを備えるように構成することができる。
【００３１】
かかる面状案内体Ａは、例えば、付着性蔓植物Ｅの付着可能な粗面を備えるサイディングなどのパネル材の表面１０の全面に適宜の手法で平滑な塗装塗膜を形成し、この全面に設けられた塗装塗膜を帯状に削り取ることによって、付着性蔓植物Ｅの付着されない平滑面１０ａと当該付着性蔓植物Ｅの付着される帯状粗面１０ｂとを備えるように構成することができる。
【００３２】
かかる面状案内体Ａは、例えば、サイディングなどのパネル材を、帯状の無釉薬部を残して焼成された陶器製プレートを備えた構成とし、付着性蔓植物Ｅの付着されない平滑面１０ａと当該付着性蔓植物Ｅの付着される帯状粗面１０ｂとを備えるように構成することができる。
【００３３】
かかる面状案内体Ａは、例えば、サイディングなどのパネル材を、釉薬を施して焼成された陶器製プレートを備える構成とし、この釉薬を施して焼成された陶器面を帯状に削り取り、付着性蔓植物Ｅの付着されない平滑面１０ａと当該付着性蔓植物Ｅの付着される帯状粗面１０ｂとを備えるように構成することができる。
【００３４】
かかる面状案内体Ａは、例えば、付着性蔓植物Ｅの付着不可能な平滑面１０ａを備えるサイディングなどのパネル材の表面１０に、ヤスリがけ等によって、帯状の粗面を作り出して、付着性蔓植物Ｅの付着されない平滑面１０ａと当該付着性蔓植物Ｅの付着される帯状粗面１０ｂとを備えるように構成することができる。
【００３５】
かかる面状案内体Ａは、例えば、付着性蔓植物Ｅの付着不可能な平滑面１０ａを備えるサイディングなどのパネル材の表面１０に、塗膜面が粗面をなす塗料を帯状に塗布することで、付着性蔓植物Ｅの付着されない平滑面１０ａと当該付着性蔓植物Ｅの付着される帯状粗面１０ｂとを備えるように構成することができる。
【００３６】
かかる面状案内体Ａは、例えば、付着性蔓植物Ｅの付着不可能な平滑面１０ａを備えるガルバニウム鋼板からなるサイディングなどのパネル材の表面１０に、塗膜面が粗面をなす断熱セラミック無機塗料を帯状に塗布することで、付着性蔓植物Ｅの付着されない平滑面１０ａと当該付着性蔓植物Ｅの付着される帯状粗面１０ｂとを備えるように構成することができる。
【００３７】
かかる面状案内体Ａにおける帯状粗面１０ｂは、当該面状案内体Ａの下側から上側に向けて延びるように設けてあり、この帯状粗面１０ｂを伝わって付着性蔓植物Ｅが、当該面状案内体Ａを備えて構成される壁面等を効率よく這い上がり得るようにしてある。
【００３８】
かかる点から、この面状案内体Ａは、壁面緑化の目的で植栽される蔓植物Ｅが付着しながら当該壁面等を這い上がるのに都合の良い粗面と幅を備えたものとして用意される。
【００３９】
かかる面状案内体Ａに備えられる帯状粗面１０ｂは、その幅、即ち、当該帯状粗面１０ｂを横向きの幅が、当該面状案内体Ａの帯状粗面１０ｂに案内される蔓植物Ｅの根や髭などが都合よく付着生長し得る幅を備えたものとして用意される。かかる帯状粗面１０ｂは、平行な直線状縁を備えて構成してあっても、ギザギザ縁を備えて構成してあってもよい。
【００４０】
また、この面状案内体Ａに備えられる帯状粗面１０ｂは、当該面状案内体Ａの下側から上側に向けて延びる態様に設けてあれば、垂直向きにストレート状や蛇行状に設けてあっても、斜め方向にストレートにあがるように設けてあっても、蛇行しながら斜め上方に向けてあがるように設けてあってもよい。かかる斜め上方に向けて備えられる帯状粗面１０ｂは、この面状案内体Ａに案内される付着性蔓植物Ｅの生長特性に都合の良い傾きを備えるものとしてあり、当該帯状粗面１０ｂから、これに案内される付着性蔓植物Ｅがはみ出して生長し難い傾きとしてある。
【００４１】
かかる面状案内体Ａに備えられる帯状粗面１０ｂは、当該面状案内体Ａに一本の帯状粗面１０ｂとして設けてあっても、複数本の帯状粗面１０ｂとして設けてあってもよく当該各帯状粗面１０ｂが並列状態に設けてあっても、一部が交叉するように設けてあってもよい。
【００４２】
かかる面状案内体Ａに備えられる帯状粗面１０ｂは、これを、当該面状案内体Ａに備えられる溝１１内に構成することで、付着性蔓植物Ｅを、より効果的に案内させることができる。
【００４３】
この面状案内体Ａに備えられる溝１１は、この溝底又は、当該溝底及び溝側壁面とが、前記帯状粗面１０ｂをなすように当該面状案内体Ａに備えられている。従って、当該溝１１は、前記帯状粗面１０ｂとほぼ同一の態様で当該面状案内体Ａに備えられる。
【００４４】
かかる面状案内体Ａに備えられる溝１１は、その溝幅を５ｍｍ〜５０ｍｍ、溝深さを５ｍｍ〜５０ｍｍとし、その溝底面又は当該溝底面及び溝側壁面を粗面とすることで、当該溝１１に付着性蔓植物Ｅを都合良く案内することができ、強風等にあっても、壁面等に付着生長されている付着性蔓植物Ｅが付着壁面等から剥がれ落ちる虞を少なくすることができる。
【００４５】
かかる面状案内体Ａは、単体で、又は、複数枚を左右方向、上下方向、又は上下左右方向に連続させて、壁、塀、門柱、擁壁等の構造体の表面を構成するように備えて、当該壁、塀、門柱、擁壁等の表面に付着性蔓植物Ｅの付着案内される緑化面Ｃを構成して用いる。
【００４６】
このような構成からなる面状案内体Ａを用いることによって、建物の壁面や、塀、門柱、擁壁等の構造物Ｂ表面の緑化を、計画的に、かつ、速やかになすことができる。
【００４７】
かかる壁面緑化等に用いられる付着性蔓植物Ｅは、緑化対象壁面を都合良く覆うように生育させることが好ましく、当該緑化壁面の面積に対応して必要量の繁茂をなすように、一定量の培地量を備える植栽桝Ｄａを用意し、この植栽桝Ｄａに当該付着性蔓植物Ｅを植栽、管理することが好ましい。
【００４８】
例えば、比較的、小さな壁面緑化に用いられる付着性蔓植物Ｅの植栽に際して、５０〜１００リットル前後の植栽桝Ｄａに必要培地Ｄを充填し、これに、付着性蔓植物Ｅを植栽することで、必要以上の繁茂を生じない状態での壁面緑化を都合良くなすことができる。
【００４９】
また、壁面等の対象緑化面Ｃから上方に伸び出す蔓植物Ｅは、この対象緑化面Ｃの上端部で、これを適宜トリマー等で一括して剪定することで、対象緑化面Ｃを整然とした緑化面Ｃとして維持することができる。
【００５０】
また、この壁面等の対象緑化面Ｃの上端部に、面状案内体Ａによって案内された付着性蔓植物Ｅの上方に伸びる先端の生長を阻害する手段、例えば、直射日光による蓄熱バー２０を設け、あるいは、随時通電可能なヒーター２１を設け、上方に伸びようとする付着性蔓植物Ｅの生長を阻害するように構成することで、緑化対象面を整然とした緑化面Ｃとして維持することができる。
【００５１】
また、この壁面等の緑化対象面の上端部に、面状案内体Ａによって案内された付着性蔓植物Ｅの上方に伸びる先端部における根や髭等の付着できない平滑面１０ａを設けることで、蔓植物Ｅにおける付着根や巻髭を脱落させ、蔓植物Ｅの上方に向けた付着生長を阻害するように構成することで、緑化対象面を整然とした緑化面Ｃとして維持することができる。
【００５２】
また、この壁面等の対象緑化面Ｃの上端部に、面状案内体Ａによって案内された付着性蔓植物Ｅの上方に伸びる先端部を誘え入れて反転するように案内する透明、半透明の円弧状断面をな遮蔽体２２を設け、この遮蔽体２２の下部側開口２２ａから付着性蔓植物Ｅの上部先端を誘い入れて、反転させ、当該蔓植物Ｅの上方に向けた生長を阻害するように構成することで、緑化対象面を整然とした緑化面Ｃとして維持することができる。
【００５３】
このように構成される面状案内体Ａにあっては、ナツヅタ、オオイタビ等の種々の付着性蔓植物Ｅを都合よく案内して壁面、塀面、門柱面、擁壁面等の各種構造物Ｂ面を確実に緑化することができる。
【００５４】
図１及び図２は、典型的な面状案内体Ａであって、例えば、矩形のコンクリート板等からなるパネルＡ’として構成してあり、このパネルＡ’を建物の外壁、塀、門柱、擁壁等に、順次に必要枚数を張り込むことで、当該外壁、塀、門柱、擁壁等の構造物Ｂに対象緑化面Ｃを構成するようにしてある。
【００５５】
この図示例に係る面状案内体ＡをなすパネルＡ’は、その表面１０の下側から上側に向けて複数条の、この図示例では三条の溝１１を設けてあり、当該溝１１は、概ね、５ｍｍ〜５０ｍｍの溝幅で、かつ、概ね、５ｍｍ〜５０ｍｍの溝深さにしてある。
【００５６】
このパネルＡ’に備えられる溝１１は当該パネルＡ’の下端と上端間にわたって、即ち、その溝１１下端と溝１１上端とを解放した状態に設けてあり、当該パネルＡ’を上方に向けて順次に連続して張り込んだ際に、この一連に連続して備えられる各パネルＡ’における溝１１が連通して一連に連続する溝１１を構成するようにしてある。
【００５７】
この図示例に係るパネルＡ’は、その表面１０にある溝１１、即ち、溝底面及び溝側壁面を除く表面１０を塗装してあり、塗膜による平滑面１０ａとしてあり、この溝底面及び溝側壁面で当該面状案内体Ａの下側から上側に向かう帯状粗面１０ｂを構成してある。
【００５８】
この結果、付着性蔓植物Ｅは、パネルＡ’の素材であるコンクリート面とされている溝底面及び溝側壁面に付着根、付着巻き鬚を付着させるように当該溝１１内を下方から上方に向けて生長し、この溝１１から側方の平滑面１０ａに向けた生長が阻止されることとなり、この溝１１に沿った生長方向の規制によって、比較的短期間に、対象緑化面Ｃの緑化をなすことができる。
【００５９】
図３〜図６は、各種の面状案内体Ａの要部、特に、その面状案内体Ａの下側から上側に向かうように備えられている帯状粗面１０ｂ部分を、当該面状案内体Ａを水平向きに断面して示したものである。
【００６０】
図３に示される面状案内体Ａは、付着性蔓植物Ｅの付着可能な素材に断面がコ字状の溝１１を当該面状案内体Ａの下側から上側に向けて設けてあり、この溝１１の溝底面及び溝側壁面を除く当該面状案内体Ａの表面１０を付着性蔓植物Ｅの付着不可能な平滑面１０ａとして構成したものであって、付着性蔓植物Ｅは、この凹状溝１１内を這うようにして下側から上側に向けて、その付着根、付着巻髭等の付着手段Ｅａを帯状粗面１０ｂに付着させながら生長する。
【００６１】
図４に示される面状案内体Ａは、付着性蔓植物Ｅの付着可能な素材に断面がＶ字状の溝１１を当該面状案内体Ａの下側から上側に向けて設けてあり、この溝１１の溝面を除く当該面状案内体Ａの表面１０を付着性蔓植物Ｅの付着不可能な平滑面１０ａとして構成したものであって、付着性蔓植物Ｅは、このＶ字状溝１１の底を這うようにして下側から上側に向けて、その付着根、付着巻髭等の付着手段Ｅａを帯状粗面１０ｂに付着させながら生長する。
【００６２】
図５に示される面状案内体Ａは、付着性蔓植物Ｅの付着可能な素材の表面１０に付着性蔓植物Ｅの付着不可能な平滑面１０ａを備えた構成としてあると共に、この表面１０の一部が下側から上側に向けて帯状に取り除かれた帯状粗面１０ｂとしてあり、付着性蔓植物Ｅは、この帯状粗面１０ｂに沿って下側から上側に這うように、その付着根、付着巻髭等の付着手段Ｅａを当該帯状粗面１０ｂに付着させながら生長する。
【００６３】
図６に示される面状案内体Ａは、表面１０が付着性蔓植物Ｅの付着不可能な平滑面１０ａとされている面状案内体Ａの表面１０に、塗着、焼き付け等の適宜の手法で付着性蔓植物Ｅの付着可能な素材を設けることで、帯状粗面１０ｂを下側から上側に向けて備える構成としてあり、付着性蔓植物Ｅは、この帯状粗面１０ｂに沿って下側から上側に這うように、その付着根、付着巻髭等の付着手段Ｅａを当該帯状粗面１０ｂに付着させながら生長する。
【００６４】
図７〜図９は、かかる面状案内体Ａを備えて構成される壁、塀、門柱、擁壁等の構造物Ｂにおける緑化面Ｃの上端部を示したものであって、図７では、この緑化面Ｃの上面に直射日光により蓄熱される蓄熱バー２０を、前記面状案内体Ａの帯状粗面１０ｂを這い上がる付着性蔓植物Ｅの上端部が入り込む隙間２０ａを、当該面状案内体Ａとの間に生ずるように設け、この隙間２０ａに入り込む付着性蔓植物Ｅの先端生長部分を当該蓄熱バー２０で焼損させて、当該面状案内体Ａから上方に向けた付着性蔓植物Ｅの伸びだしを防ぐように構成してある。
また、図８では、この緑化面Ｃの上面に随時、通電可能なヒーター２１を、前記面状案内体Ａの帯状粗面１０ｂを這い上がる付着性蔓植物Ｅの上端部が入り込む隙間２１ａを、当該面状案内体Ａとの間に生ずるように設け、この隙間２１ａに入り込む付着性蔓植物Ｅの先端生長部分を当該ヒーター２１で、必要に応じて焼損させて、当該面状案内体Ａから上方に向けた付着性蔓植物Ｅの伸びだしを防ぐように構成してある。
また、図９では、ポリカーボネイト等からなる透明、半透明で、前記面状案内体Ａの帯状粗面１０ｂに連続するように付着性蔓植物Ｅの生長上端を誘導案内する開口２２ａを備える断面が弧状の遮蔽体２２を、前記緑化面Ｃの上面に設け、前記面状案内体Ａの帯状粗面１０ｂを這い上がる付着性蔓植物Ｅの上端部を当該開口２２ａから遮蔽体２２内に誘導すると共に、この透明、半透明の遮蔽体２２の弧状面に沿って付着性蔓植物Ｅを案内するようにして、当該面状案内体Ａから上方に向けた付着性蔓植物Ｅの伸びだしを防ぐように構成してある。
【００６５】
図１０は、かかる面状案内体Ａを備えて構成される緑化面Ｃを備える構造物Ｂを示すものであって、構造物Ｂに備えられているエントランス等の各種開口部Ｂａ等を避けるように、斜め向きにあがる帯状粗面１０ｂを備える面状案内体Ａを、上下方向に帯状粗面１０ｂを備える面状案内体Ａに適宜組み付けて、当該構造物Ｂの面を、複数枚の面状案内体Ａで構成し、この構造物Ｂにおける面状案内体Ａの備えられている側に植栽桝Ｄａを設置し、この植栽桝Ｄａの培地Ｄに、好みの付着性蔓植物Ｅを植栽し、この付着性蔓植物Ｅを前記面状案内体Ａの帯状粗面１０ｂに沿って上方に向けて案内すると共に、当該緑化面Ｃの上端部分で、この上方に伸び出す付着性蔓植物Ｅの上端を適宜トリマー等で一括剪定する構成としてある。
【図面の簡単な説明】
【００６６】
【図１】典型的な面状案内体の斜視図
【図２】同断面図
【図３】同要部拡大断面図
【図４】同他の面状案内体の要部拡大断面図
【図５】同更に他の面状案内体の要部拡大断面図
【図６】同更に他の面状案内体の要部拡大断面図
【図７】同面状案内体を備えた構造物の上端部を示す要部斜視図
【図８】同面状案内体を備えた構造物の他の上端部を示す要部斜視図
【図９】同面状案内体を備えた構造物の更に他の上端部を示す要部斜視図
【図１０】同面状案内体を備えた構造物の要部斜視図
【符号の説明】
【００６７】
Ａ  面状案内体
Ａ’パネル
Ｂ  構造物
Ｃ  緑化面
Ｅ  付着性蔓植物
Ｅａ  付着手段
１０  表面
１０ａ  平滑面
１０ｂ  帯状粗面
１１  溝
【図１】
0005215624.tif 000002
【図２】
0005215624.tif 000003
【図３】
0005215624.tif 000004
【図４】
0005215624.tif 000005
【図５】
0005215624.tif 000006
【図６】
0005215624.tif 000007
【図７】
0005215624.tif 000008
【図８】
0005215624.tif 000009
【図９】
0005215624.tif 000010
【図１０】
0005215624.tif 000011